(57)【要約】本発明は、素材についての選択の自由度を高めることができ、また、接合部における防水性を高めて、インナーから漏れ出た経血や尿がアウターに付着することを確実に防止できる防水透湿下着を提供することを目的とする。下半身に着用されるインナーとアウターとの間に着用される防水透湿下着において、インナー側に配置された基布（Ｂ）と、基布（Ｂ）におけるアウター側にラミネートされた防水透湿性のメンブレン（Ｃ）と、を有する２レイヤーの複数の布地（Ａ）を接合部でさせることにより構成され、基布（Ｂ）として、メンブレン（Ｃ）よりも触感性に優れた素材が選択され、メンブレン（Ｃ）として、基布（Ｂ）よりも溶着性に優れた素材が選択され、接合部（２１Ａ〜２１Ｆ）が溶着によって形成される。
2011027468.tif 000002
【特許請求の範囲】
【請求項１】
下半身に着用されるインナーとアウターとの間に着用される防水透湿下着において、
前記インナー側に配置された基布と、
前記基布における前記アウター側にラミネートされた防水透湿性のメンブレンと、を有する２レイヤーの複数の布地を接合部で接合させることにより構成され、
前記基布として、前記メンブレンよりも触感性に優れた素材が選択され、
前記メンブレンとして、前記基布よりも溶着性に優れた素材が選択されているとともに、
前記接合部のうちの少なくとも１つの接合部が溶着によって形成されている、
ことを特徴とする防水透湿下着。
【請求項２】
前記溶着によって形成される接合部は、相互に隣接する前記布地のそれぞれの接合代を内側に折り曲げて、前記それぞれの接合代の前記メンブレン側を接触させた状態で溶着することで形成される、
ことを特徴とする請求項１に記載の防水透湿下着。
【請求項３】
前記溶着によって形成される接合部は、相互に隣接する前記布地のそれぞれの接合代を外側に突出させて、前記それぞれの接合代の前記基布側を接触させた状態で溶着することで形成される、
ことを特徴とする請求項１に記載の防水透湿下着。
【請求項４】
前記溶着によって形成される接合部は、相互に隣接する前記布地の一方の接合代を他方の接合代に重ねて、前記一方の接合代の前記メンブレン側と前記他方の接合代の前記基布側を接触させた状態で溶着することで形成される、
ことを特徴とする請求項１に記載の防水透湿下着。
【請求項５】
前記溶着によって形成される接合部は、相互に隣接する前記布地のそれぞれの接合代を内側に折り曲げて、前記それぞれの接合代の前記メンブレン側を接触させた状態で、または、相互に隣接する前記布地のそれぞれの接合代を外側に突出させて、前記それぞれの接合代の前記基布側を接触させた状態で溶着することで形成される接合部であり、
前記接合部で接合された状態の布地相互を、これらの一方の接合部と他方の接合部とが連続するようにして、これら接合部に交差する別の接合部で接合する場合、
前記一方の接合部は、倒伏された状態でその端部が前記別の接合部に接合され、前記他方の接合部は、前記一方の接合部とは逆方向に倒伏された状態でその端部が前記別の接合部に接合される、
ことを特徴とする請求項１に記載の防水透湿下着。
【請求項６】
前記溶着によって形成される接合部は、相互に隣接する前記布地のそれぞれの端縁を突き合わせ、これら端縁の上に帯状のシール部材を溶着することで形成される、
ことを特徴とする請求項１に記載の防水透湿下着。
【請求項７】
前記シール部材が、前記布地と同じ生地によって形成されている、
ことを特徴とする請求項６に記載の防水透湿下着。
【請求項８】
前記シール部材が、ホットメルトが塗布された生地によって形成されている、
ことを特徴とする請求項６に記載の防水透湿下着。
【請求項９】
前記複数の布地は、前記溶着する接合部として、股ぐり及び股下を有する、
ことを特徴とする請求項１に記載の防水透湿下着。
【請求項１０】
前記メンブレンは、気温の上昇に伴って、透湿性が高くなる、
ことを特徴とする請求項１に記載の防水透湿下着。
【請求項１１】
前記布地は、一方向とこれに直交する他方向とでストレッチ性が異なり、前記ストレッチ性の高い方向が横方向を向くように配置される、
ことを特徴とする請求項１に記載の防水透湿下着。
【請求項１２】
下半身に着用されるインナーの外側に着用されるアウターの内側に取り付けられた防水透湿裏地において、
前記インナー側に配置された基布と、
前記基布における前記アウター側にラミネートされた防水透湿性のメンブレンと、を有する２レイヤーの複数の布地を接合部でさせることにより構成され、
前記基布として、前記メンブレンよりも触感性に優れた素材が選択され、
前記メンブレンとして、前記基布よりも溶着性に優れた素材が選択されているとともに、
前記接合部のうちの少なくとも１つの接合部が溶着によって形成されている、
ことを特徴とする防水透湿裏地。
【請求項１３】
前記溶着によって形成される接合部は、相互に隣接する前記布地のそれぞれの接合代を内側に折り曲げて、前記それぞれの接合代の前記メンブレン側を接触させた状態で溶着することで形成される、
ことを特徴とする請求項１２に記載の防水透湿裏地。
【請求項１４】
前記溶着によって形成される接合部は、相互に隣接する前記布地のそれぞれの接合代を外側に突出させて、前記それぞれの接合代の前記基布側を接触させた状態で溶着することで形成される、
ことを特徴とする請求項１２に記載の防水透湿裏地。
【請求項１５】
前記溶着によって形成される接合部は、相互に隣接する前記布地の一方の接合代を他方の接合代に重ねて、前記一方の接合代の前記メンブレン側と前記他方の接合代の前記基布側を接触させた状態で溶着することで形成される、
ことを特徴とする請求項１２に記載の防水透湿裏地。
【請求項１６】
前記溶着によって形成される接合部は、相互に隣接する前記布地のそれぞれの接合代を内側に折り曲げて、前記それぞれの接合代の前記メンブレン側を接触させた状態で、または、相互に隣接する前記布地のそれぞれの接合代を外側に突出させて、前記それぞれの接合代の前記基布側を接触させた状態で溶着することで形成される接合部であり、
前記接合部で接合された状態の布地相互を、これらの一方の接合部と他方の接合部とが連続するようにして、これら接合部に交差する別の接合部で接合する場合、
前記一方の接合部は、倒伏された状態でその端部が前記別の接合部に接合され、前記他方の接合部は、前記一方の接合部とは逆方向に倒伏された状態でその端部が前記別の接合部に接合される、
ことを特徴とする請求項１２に記載の防水透湿裏地。
【請求項１７】
前記溶着によって形成される接合部は、相互に隣接する前記布地のそれぞれの端縁を突き合わせ、これら熱端縁の上に帯状のシール部材を溶着することで形成される、
ことを特徴とする請求項１２に記載の防水透湿裏地。
【請求項１８】
前記シール部材が、前記布地と同じ生地によって形成されている、
ことを特徴とする請求項１７に記載の防水透湿裏地。
【請求項１９】
前記シール部材が、ホットメルトが塗布された生地によって形成されている、
ことを特徴とする請求項１７に記載の防水透湿裏地。
【請求項２０】
前記複数の布地は、前記溶着する接合部として、股ぐり及び股下を有する、
ことを特徴とする請求項１２に記載の防水透湿裏地。
【請求項２１】
前記メンブレンは、気温の上昇に伴って、透湿性が高くなる、
ことを特徴とする請求項１２に記載の防水透湿裏地。
【請求項２２】
前記布地は、一方向とこれに直交する他方向とでストレッチ性が異なり、前記ストレッチ性の高い方向が横方向を向くように配置される、
ことを特徴とする請求項１２に記載の防水透湿裏地。
【発明の詳細な説明】
【技術分野】
【０００１】
本発明は、下半身に着用されて、生理時の血液漏れや失禁時の尿漏れが表面側へ漏出すること防止するとともに、裏面側での蒸れを防止することができる防水透湿下着、及び防水透湿裏地に関する。
【背景技術】
【０００２】
従来、生理時の血液漏れや失禁時の尿漏れの防止を目的とした下着は、防水性を有する布地や、防水加工を施した布地を使用して構成されている。
ところが、このような布地は、一般に、透湿性を有していないことから、血液や尿が外側に浸み出すことは防止できたとしても、水蒸気等のために内側が蒸れて不快感を感じることがある。【０００３】
このような不快感をなくすため、例えば、特許文献１には、防水透過性の布地を使用した生理用ショーツが提案されている。【０００４】
このものは、ショーツは、股下に位置する「まち」を、内層と中間層と外層との３層で構成し、内層は防汚性，吸浸性を有する素材を、また、中間層は防水透湿性（液不透過蒸気透過性）を有する素材を、そして、外層は蒸気を良く透過して外観の良い素材を用いている。【０００５】
これにより、経血や尿が外側に漏出することを防止し、内側が蒸れることを防止し、また、外からの見栄えの良いものとなっている。
【先行技術文献】
【特許文献】
【０００６】
【特許文献１】実願昭５５−１３８４２９号（実開昭５７−６０６１９号）のマイクロフィルム
【発明の概要】
【発明が解決しようとする課題】
【０００７】
しかしながら、上述の生理用ショーツは、素肌に直接、着用するため、防汚性，吸浸性を始め、触感性（肌触り）等の種々の機能が要求されるため、内層の素材の選択の自由度が低いという問題があった。また、ショーツであるため、ある程度の外観上の見栄えも考慮する必要があり、この点で外層の素材も制約を受けることになる。【０００８】
なお、この種の防水性が重要視される下着においては、布地の素材自体は高い防水性を有していたとしても、布地と布地の接合部（継ぎ目）から経血や尿が漏えいするおそれがあるため、接合部の防水性を高めることが肝要である。【０００９】
ここで、上述のような生理用ショーツを着用する場合、着用者は、たとえ、その生理用ショーツの防水性に高い信頼を寄せていたとしても、例えば、出血量が多かったり、運動量が多かったりした場合には、生理ショーツから血液が漏れ出て、スカートやズボン等のアウターに付着するのではないか、という不安が常に付きまとう。そして、このような精神的な不安は、常に頭から離れることがなく、着用者の仕事や余暇における行動を大きく制約することになる。【００１０】
なお、上述では、生理用ショーツを例に問題点を上げたが、失禁用の下着についても略同様の問題点がある。【００１１】
そこで、本発明は、素材についての選択の自由度を高めることができ、また、接合部における防水性を高めて、インナーから漏れ出た経血や尿がアウターに付着することを確実に防止できる防水透湿下着、及び防水透湿裏地を提供することを目的とする。
【課題を解決するための手段】
【００１２】
請求項１に係る発明は、下半身に着用されるインナーとアウターとの間に着用される防水透湿下着に関する。この発明に係る防水透湿下着は、前記インナー側に配置された基布と、前記基布の外側にラミネートされた防水透湿性のメンブレンと、を有する２レイヤーの複数の布地を接合部で接合させることにより構成され、前記基布として、前記メンブレンよりも触感性に優れた素材が選択され、前記メンブレンとして、前記基布よりも溶着性に優れた素材が選択されているとともに、前記接合部のうちの少なくとも１つの接合部が溶着によって形成されている、ことを特徴とする。【００１３】
請求項２に係る発明は、請求項１に係る防水透湿下着において、前記溶着によって形成される接合部は、相互に隣接する前記布地のそれぞれの接合代を内側に折り曲げて、前記それぞれの接合代の前記メンブレン側を接触させた状態で溶着することで形成される、ことを特徴とする。【００１４】
請求項３に係る発明は、請求項１に係る防水透湿下着において、前記溶着によって形成される接合部は、相互に隣接する前記布地のそれぞれの接合代を外側に突出させて、前記それぞれの接合代の前記基布側を接触させた状態で溶着することで形成される、ことを特徴とする。【００１５】
請求項４に係る発明は、請求項１に係る防水透湿下着において、前記溶着によって形成される接合部は、相互に隣接する前記布地の一方の接合代を他方の接合代に重ねて、前記一方の接合代の前記メンブレン側と前記他方の接合代の前記基布側を接触させた状態で溶着することで形成される、ことを特徴とする。【００１６】
請求項５に係る発明は、請求項１に係る防水透湿下着において、前記溶着によって形成される接合部は、相互に隣接する前記布地のそれぞれの接合代を内側に折り曲げて、前記それぞれの接合代の前記メンブレン側を接触させた状態で、または、相互に隣接する前記布地のそれぞれの接合代を外側に突出させて、前記それぞれの接合代の前記基布側を接触させた状態で溶着することで形成される接合部であり、前記接合部で接合された状態の布地相互を、これらの一方の接合部と他方の接合部とが連続するようにして、これら接合部に交差する別の接合部で接合する場合、前記一方の接合部は、倒伏された状態でその端部が前記別の接合部に接合され、前記他方の接合部は、前記一方の接合部とは逆方向に倒伏された状態でその端部が前記別の接合部に接合される、ことを特徴とする。【００１７】
請求項６に係る発明は、請求項１に係る防水透湿下着において、前記溶着によって形成される接合部は、相互に隣接する前記布地のそれぞれの端縁を突き合わせ、これら端縁の上に帯状のシール部材を溶着することで形成される、ことを特徴とする。【００１８】
請求項７に係る発明は、請求項６に係る防水透湿下着において、前記シール部材が、前記布地と同じ生地によって形成されている、ことを特徴とする。【００１９】
請求項８に係る発明は、請求項６に係る防水透湿下着において、前記シール部材が、ホットメルトが塗布された生地によって形成されている、ことを特徴とする。【００２０】
請求項９に係る発明は、請求項１に係る防水透湿下着において、前記複数の布地は、前記溶着する接合部として、股ぐり及び股下を有する、ことを特徴とする。【００２１】
請求項１０に係る発明は、請求項１に係る防水透湿下着において、前記メンブレンは、気温の上昇に伴って、透湿性が高くなる、ことを特徴とする。【００２２】
請求項１１に係る発明は、請求項１に係る防水透湿下着において、前記布地は、一方向とこれに直交する他方向とでストレッチ性が異なり、前記ストレッチ性の高い方向が横方向を向くように配置される、ことを特徴とする。【００２３】
請求項１２に係る発明は、下半身に着用されるインナーの外側に着用されるアウターの内側に取り付けられた防水透湿裏地に関する。この発明に係る防水透湿下地は、前記インナー側に配置された基布と、前記基布における前記アウター側にラミネートされた防水透湿性のメンブレンと、を有する２レイヤーの複数の布地を接合部でさせることにより構成され、前記基布として、前記メンブレンよりも触感性に優れた素材が選択され、前記メンブレンとして、前記基布よりも溶着性に優れた素材が選択されているとともに、前記接合部のうちの少なくとも１つの接合部が溶着によって形成されている、ことを特徴とする【００２４】
請求項１３に係る発明は、請求項１２に係る防水透湿裏地において、前記溶着によって形成される接合部は、相互に隣接する前記布地のそれぞれの接合代を内側に折り曲げて、前記それぞれの接合代の前記メンブレン側を接触させた状態で溶着することで形成される、ことを特徴とする。【００２５】
請求項１４に係る発明は、請求項１２に係る防水透湿裏地において、前記溶着によって形成される接合部は、相互に隣接する前記布地のそれぞれの接合代を外側に突出させて、前記それぞれの接合代の前記基布側を接触させた状態で溶着することで形成される、ことを特徴とする。【００２６】
請求項１５に係る発明は、請求項１２に係る防水透湿裏地において、前記溶着によって形成される接合部は、相互に隣接する前記布地の一方の接合代を他方の接合代に重ねて、前記一方の接合代の前記メンブレン側と前記他方の接合代の前記基布側を接触させた状態で溶着することで形成される、ことを特徴とする。【００２７】
請求項１６に係る発明は、請求項１２に係る防水透湿裏地において、前記溶着によって形成される接合部は、相互に隣接する前記布地のそれぞれの接合代を内側に折り曲げて、前記それぞれの接合代の前記メンブレン側を接触させた状態で、または、相互に隣接する前記布地のそれぞれの接合代を外側に突出させて、前記それぞれの接合代の前記基布側を接触させた状態で溶着することで形成される接合部であり、前記接合部で接合された状態の布地相互を、これらの一方の接合部と他方の接合部とが連続するようにして、これら接合部に交差する別の接合部で接合する場合、前記一方の接合部は、倒伏された状態でその端部が前記別の接合部に接合され、前記他方の接合部は、前記一方の接合部とは逆方向に倒伏された状態でその端部が前記別の接合部に接合される、ことを特徴とする。【００２８】
請求項１７に係る発明は、請求項１２に係る防水透湿裏地において、前記溶着によって形成される接合部は、相互に隣接する前記布地のそれぞれの端縁を突き合わせ、これら熱端縁の上に帯状のシール部材を溶着することで形成される、ことを特徴とする。【００２９】
請求項１８に係る発明は、請求項１７に係る防水透湿裏地において、前記シール部材が、前記布地と同じ生地によって形成されている、ことを特徴とする。【００３０】
請求項１９に係る発明は、請求項１７に記載の防水透湿裏地において、前記シール部材が、ホットメルトが塗布された生地によって形成されている、
ことを特徴とする。【００３１】
請求項２０に係る発明は、請求項１２に係る防水透湿裏地において、前記複数の布地は、前記溶着する接合部として、股ぐり及び股下を有する、ことを特徴とする。【００３２】
請求項２１に係る発明は、請求項１２に係る防水透湿裏地において、前記メンブレンは、気温の上昇に伴って、透湿性が高くなる、ことを特徴とする。【００３３】
請求項２２に係る発明は、請求項１２に係る防水透湿裏地において、前記布地は、一方向とこれに直交する他方向とでストレッチ性が異なり、前記ストレッチ性の高い方向が横方向を向くように配置される、ことを特徴とする。
【発明の効果】
【００３４】
請求項１の発明によれば、防水透湿下着は、布地が、基布と防水透湿性を有するメンブレンとのラミネートによって構成されているので、防水透湿下着の内側に着用されるインナー（例えば、ショーツ，生理用ショーツ，ブリーフ）を透って経血や尿が漏れ出た場合でも、これら経血や尿が、防水透湿下着の外側に着用されるアウター（例えば、スカート，ズボン）に付着することを防止するとともに、内側の水蒸気等を外側に透過させて内側が蒸れるのを防止することができる。【００３５】
また、防水透湿下着は、その外側にアウターが着用されるので、レインコート等のアウターとして使用される場合と異なり、メンブレンが基布の外側に位置するようにしても、メンブレン自体はアウターによって覆われているので、メンブレンの表面を保護するような層、あるいは外観の見栄えを良くするような層を特に設ける必要はない。このため、基布とメンブレンとをラミネートした２レイヤーの軽量な布地で構成することが可能である。【００３６】
また、内側に位置する基布は、その素材について、メンブレンよりも選択の自由度が高いので、触感性に優れた肌触りのよいものを選択することで、着用感を向上させることができる。なお、防水透湿下着は、その内側にインナーが着要されるが、その大きさや形状によっては、防水透湿下着が直接、肌に接触することがあるため、内側の基布は、触感性の良いものが好ましい。【００３７】
さらに、布地の接合部を、溶着によって形成することにより、接合部から経血や尿が漏れ出ることを確実に防止することができる。【００３８】
請求項２の発明によれば、相互に隣接する布地を、それぞれの接合代を内側に折り曲げて溶着性に優れたメンブレンを接触させた状態で、溶着するので、良好な溶着を行うことができる。また、着用時に接合部が露出しないようにして、見栄えを良くすることができる。【００３９】
請求項３の発明によれば、相互に隣接する布地を、それぞれの接合代を外側に突出させて基布相互を接触させた状態で溶着することができる。【００４０】
請求項４の発明によれば、相互に隣接する布地を、一方の接合代に他方の接合代を重ねて基布とメンブレンとを接触させた状態で溶着することができる。この場合には、溶着を効率よく行うことができる。【００４１】
請求項５の発明によれば、別の接合部に対して、一方の接合部の端部と他方の接合部の端部とを同じ方向に倒伏させて溶着した場合と比較して、ゴワゴワ感を少なくすることができる。【００４２】
請求項６の発明によれば、接合部の厚さが、布地の１枚分とシール部材の１枚分の厚さの合計で済むので、厚くなって肌触りが低下することを防止できる。【００４３】
請求項７の発明によれば、シール部材は、布地と同じ生地によって形成されていて、同じ機能を有するので、シール部材を溶着した部分も他の部分と同様の機能を発揮することができる。【００４４】
請求項８の発明によれば、シール部材が、ホットメルトが塗布された生地によって形成されているので、ホットメルトを加熱して溶融させ、さらに、冷却して硬化させることで、接合部を簡単に溶着することができる。【００４５】
請求項９の発明によれば、股ぐりや股下は、経血や尿が漏れやすい箇所なので、これらの部分を溶着することで、経血や尿の漏えいを確実に防止できる。【００４６】
請求項１０の発明によれば、メンブレンは、気温が高くなると防水透湿性が高くなるので、気温が高いほど発生やすい蒸れを、有効に防止することができる。【００４７】
請求項１１の発明によれば、布地は、横方向のストレッチ性が高いので、防水透湿下着の着脱が容易で、また、着用時のフィット感、運動性を向上させることができる。【００４８】
請求項１２〜２２の発明（防水透湿裏地）によれば、上述の請求項１〜１１の防水透湿下着と略同等の効果を奏することができる。
【図面の簡単な説明】
【００４９】
【図１】実施形態１を説明する図であり、（Ａ）は下着１１を、前側斜め上方から見た斜視図であり、（Ｂ）は下着１１の分解斜視図である。
【図２】（Ａ）は布地（生地）Ａの層構成及びストレッチ性を説明する斜視図であり、（Ｂ）は布地Ａの透湿性が温度によって変化するようすを説明する図である。
【図３】（Ａ）は２枚の布地Ａ，Ａの端部の接合代Ａ１，Ａ１を内側に折り返して合わせて接合部Ｄ１を形成する例を説明する斜視図であり、（Ｂ）は２枚の布地Ａ，Ａの端部の接合代Ａ１，Ａ１を外側に突き出して合わせて接合部Ｄ２を形成する例を説明する斜視図であり、（Ｃ）は２枚の布地Ａ，Ａを溶着するようすを説明する斜視図であり、（Ｄ）は２枚の布地Ａ，Ａの接合代Ａ１，Ａ１をシームテープ（シール部材）Ｓによって溶着するようすを説明する斜視図である。
【図４】実施形態２を説明する図であり、（Ａ）は下着２１を、前側斜め上方から見た図であり、（Ｂ）は（Ａ）の下着２１の一部を破断して示す図である。
【図５】（Ａ）は図４（Ａ）中のＶ−Ｖ線矢視図であり、（Ｂ）は接合部２１Ａの下端及び接合部２１Ｂの下端と、接合部２１Ｅ，２１Ｆが交差する部分の接合状態を内側から見て説明する図である。
【図６】実施形態３を説明する図であり、（Ａ）は下着３１を、前側斜め上方から見た図であり、（Ｂ）は（Ａ）中のＢ−Ｂ線矢視図である。
【図７】実施形態４を説明する図であり、（Ａ）はスカート４２を前側斜め上方から見た斜視図であり、（Ｂ）はスカート本体４３と裏地４１とを分離させた分解斜視図である。
【図８】実施形態５を説明する図であり、（Ａ）は半ズボン５２を前側斜め上方から見た斜視図であり、（Ｂ）は裏地５１を前側斜め上方から見た斜視図であり、（Ｃ）はズボン本体５３を前側斜め上方から見た斜視図である。
【発明を実施するための形態】
【００５０】
以下、本発明の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。また、一部の図面に矢印で上下左右を示しているが、この上下左右は、着用者を基準とした防水透湿性下着１０、防水透湿性裏地４０等の上下左右を指し示している。
【００５１】
ここで、本発明が適用される防水透湿下着１０は、下着とはいっても、その下（内側）に、例えば、生理用下着，失禁用下着等の経血漏れや尿漏れを防止するための別のインナーを着用することを前提としている。すなわち、防水透湿下着１０は、その内側に着用するインナーを透過して経血や尿が漏れ出た場合に、これら経血や尿が、防水透湿下着１０の上（外側）に着用しているスカートやズボン等のアウターに付着するのを防止するためのものである。したがって、防水透湿下着１０は、外見上の見かけ（見栄え）はほとんど考慮する必要がなく、専ら機能性を重視するものである。
【００５２】
なお、この点については、本発明が適用される防水透湿裏地４０についても同様である。
＜実施形態１＞
【００５３】
図１〜図３を参照して、防水透湿下着１０がスカート状の下着１１である場合を説明する。このうち、図１（Ａ）は下着１１を、前側斜め上方から見た斜視図であり、（Ｂ）は下着１１の分解斜視図である。また、図２（Ａ）は布地（生地）Ａの層構成及びストレッチ性を説明する斜視図であり、（Ｂ）は布地Ａの透湿性が温度によって変化するようすを説明する図である。また、図３（Ａ）は２枚の布地Ａ，Ａの端部の接合代Ａ１，Ａ１を内側に折り返して合わせて接合部Ｄ１を形成する例を説明する斜視図であり、（Ｂ）は２枚の布地Ａ，Ａの端部の接合代Ａ１，Ａ１を外側に突き出して合わせて接合部Ｄ２を形成する例を説明する斜視図であり、（Ｃ）は２枚の布地Ａ，Ａを溶着するようすを説明する斜視図であり、（Ｄ）は２枚の布地Ａ，Ａの接合代Ａ１，Ａ１をシームテープＳによって溶着するようすを説明する斜視図である。
【００５４】
図１に示すように、下着１１は、所定の形状に裁断された２枚の布地Ａ，Ａ、すなわち前身ごろ１２と後見ごろ１３とを左側の接合部１１Ａ及び右側の接合部１１Ｂにおいて接合することによって略円錐台状のスカート状に形成されている。
【００５５】
前身ごろ１２は、略台形状に形成されていて、その左右の両端部にはそれぞれ内側に折り曲げられた、略上下方向に長い帯状の接合代１２ａ，１２ｂが設けてある。後身ごろ１３も略同様の台形状に形成されていて、その左右の両端部にはそれぞれ内側に折り曲げられた、略上下方向に長い帯状の接合代１３ａ，１３ｂが設けてある。これら前身ごろ１２と後身ごろ１３とは、それぞれの左側の接合代１２ａ，１３ａが相互に接合されて接合部１１Ａを形成し、また、それぞれの右側の接合代１２ｂ，１３ｂが相互に接合されて接合部１１Ｂを形成することで一体に構成されて、全体としてスカート状の下着１１を形作っている。この状態で、下着１１は、上端が環状に形成されていて、ここには、例えば、全周にわたってゴム１１ａが縫い込まれていて、着用時に下着１１がずれ落ちることを防止している。下着１１は、また、下端も環状に形成されていて、ここには、装飾用のレース１１ｂが略全周にわたって設けられている。さらに、図示例では、下着１１の前側の上端に装飾用のリボン結び１１ｃが取り付けられている。
【００５６】
上述構成のスカート状の下着１１は、ゴム１１ａ、レース１１ｂ、リボン結び１１ｃ等以外の部分は、防水透湿性を有する布地Ａによって形成されている。防水透湿性を有する布地Ａとは、液体は透さないが、水蒸気は透過させる布地である。このような防水透湿性を有する布地Ａとしては、例えば、ジャパンゴアテックス株式会社製のゴアテックス（登録商標）ファブリクス、株式会社コロンビア社製のオムニテック、株式会社モンベル社製のドライテック（登録商標）、シェラー（Ｓｃｈｏｅｌｌｅｒ）社のシーチェンジ（ｃ＿ｃｈａｎｇｅ：登録商標）などが知られている。
【００５７】
このうち、シーチェンジは、（１）防水透湿性に加え、（２）軽量化が可能であり、また、良好な（３）触感性（肌触り）、（４）ストレッチ性、（５）通気性，防風性を有し、さらに、（６）溶着性に優れている。シーチェンジは、このような機能を有することから、本実施形態の下着１１、実施形態２の下着２１、実施形態３の下着３１、実施形態４の裏地４１、実施形態５の裏地５１を作製するための布地Ａとして、好適に使用することができる。なお、以降の説明においては、布地Ａがシーチェンジであるものとして説明するが、布地Ａとして、防水透湿性に関しては、シーチェンジ以外の、例えば、ゴアテックス（登録商標）ファブリクス等を使用してもよいのはもちろんである。
【００５８】
（１）防水透湿性
布地Ａは、図２（Ａ）に示すように、基布（ベース）Ｂとメンブレン（薄膜）Ｃとによって構成されている。すなわち、布地Ａは、基布Ｂの一方の面に、防水透湿性を有するメンブレンＣをラミネートして構成した２レイヤー（２層構造）の布地である。
布地Ａは、重量％で、ナイロン（基布Ｂ）が３０％、ポリウレタン（メンブレンＣ）が７０％である。布地Ａは、このような構成を採用することで、防水透湿性を実現している。なお、基布Ｂとしては、メンブレンＣを確実に担持してメンブレンＣの防水透湿性を妨げないものであれば、ナイロン以外の合成樹脂、さらには綿等を使用することも可能である。
【００５９】
（２）軽量性
本実施形態では、下着１１は、２レイヤーの布地Ａを使用することが可能であるため、一般的な３レイヤーのものと比較して、軽量化を図ることができる。防水透湿性の素材で構成する衣類としては、レインコートが代表的である。レインコートは、メンブレンが傷ついたり、剥離したりするとそこから雨水が侵入するため、メンブレンを保護すべく、メンブレンの外側に保護層を設ける。また、メンブレンの内側には、触感性（肌触り）を向上させる等のために層を設ける。つまり、３レイヤーで使用するのが一般的であるので、重量が重くなりがちである。なお、レインコートにおいて、内側の層を設けないで、２レイヤーとする場合もあるが、この場合には、触感性を向上させるために、メンブレンの裏面側に、特殊な加工を施すために、その分、布地自体が高価になるおそれがある。
これに対して、下着１１においては、その外側にアウターを着用することが前提となるため、布地Ａにおいて、メンブレンＣが外側に位置し、基布Ｂが内側に位置するように配置することが可能である。このため、２レイヤーの構成とすることができ、３レイヤーと比較して軽量化が可能であり、また、メンブレンの内側に特殊加工を施す必要がないので、その分、安価に構成することができる。
【００６０】
（３）触感性（肌触り）
また、下着１１においては、基布Ｂの素材についての選択の自由度が高い。下着１１は、下着ではあるものの、その内側にインナーを着用することを前提としている。このため、インナーの大きさや形状によっては、基布Ｂは、インナーからはみ出た部分が着用者の肌に直接接触することが想定される。基布Ｂは、このような接触であるため、触感性（肌触り）がよいことが要求されるものの、インナーほどではなく、その分、素材についての選択の自由度が向上する。このため、例えば、インナーに要求される触感性ほどは高いものは必要がなく、したがって、その分、他の機能を高める（例えば、軽量性や通気性を高める）ことが可能となる。本実施形態では、基布Ｂは、少なくともメンブレンＣよりも触感性がよいものを採用する。なお、具体的には、基布Ｂは、メンブレンＣよりも触感性に優れるということを条件に、ナイロン以外の合成樹脂を使用することも可能である。
【００６１】
（４）ストレッチ性
また、布地Ａは、ストレッチ性を有し、さらに、図２（Ａ）に示すように、例えば、Ｓ１方向（一方向）のストレッチ性が、これに直交するＳ２方向（他方向）のストレッチ性よりも高いという性質を有している。したがって、このようなストレッチ性を有する布地Ａで、図１（Ａ）に示すようなスカート状の下着１１を形成する際には、布地Ａから前身ごろ１２及び後身ごろ１３を裁断する際に、ストレッチ性の高いＳ１方向が、横方向（左右方向）を向くようにするとよい。これにより、下着１１の着脱が容易で、また、着用後には、フィット感や運動性を向上させることができる。
【００６２】
（５）通気性，防風性
図２（Ｂ）に、布地Ａがシーチェンジである場合の、メンブレンＣの温度と透湿性の関係についての実験結果を示す。同図では、横軸に温度（℃）を、また、縦軸に透湿性（％）をとっている。
【００６３】
メンブレンＣは、高温になると、ポリマーの構造がばらばらに開くため、透湿性が向上する。このため、湿気の外気への放出が促進され、これに伴って、身体から放出される過剰な熱の放出も促進される。これに対し、メンブレンＣは、低温になると、ポリマーの構造がきっちりと整列して断熱効果が高まり、保温性と程よい透湿性とが保たれる。
【００６４】
具体的には、メンブレンＣは、図２（Ｂ）に示すように、温度が２０℃のときの透湿性を１００％とすると、１０℃のときの透湿性が５０％となることが確認されている（出典：Ｅｍｐａ  テストリポート２００６年１２月１５日作成、Ｎｏ．８４１１９２−２）。なお、透湿性は、温度１０℃と２０℃の間においては、温度の上昇とともに単調増加し、逆に、温度の低下とともに単調減少することも確認されている。
【００６５】
また、メンブレンＣは、通気性を有していながら、防風性をも有している。すなわち、風が当たった場合には、空気の分子を跳ね返すが、メンブレンＣの内側と外側とで静圧が異なる場合には、例えば、内側の温度が高くなって水蒸気の分圧を含む空気圧が外側よりも高くなった場合には、内側から外側に向けて空気（水蒸気）を排出することができる。
【００６６】
（６）溶着性
上述のように、布地Ａは、基布ＢとメンブレンＣとによって構成されていて、メンブレンＣは、素材としてポリウレタンが採用されている。ポリウレタンは、熱可塑性を有していて、加熱することにより溶融し、冷えると硬化する。このため、布地Ａは、ポリウレタンで形成されたメンブレンＣ，Ｃ相互を接触させた状態で、糸を使用して縫合することなく良好に溶着することができる。なお、溶着には、高周波エネルギーの作用によって、樹脂部材そのものを内部から発熱させる高周波溶着、熱伝導の作用によって加熱する熱溶着、超音波エネルギーを発生させて振動を対象素材に伝えることで強力な摩擦熱を発生させる超音波溶着等があるが、本実施形態においては、超音波溶着が好適である。
【００６７】
つづいて、溶着性に関連して、図３（Ａ）〜（Ｄ）を参照して、隣接する２枚の布地Ａ，Ａの接合について説明する。なお、１枚の布地Ａをループ状にしてその一方の端部の接合部と他方の端部の接合部とを接合する場合も同様であるので、以下では、２枚の布地Ａ，Ａの接合について説明する。
【００６８】
図３（Ａ）及び（Ｂ）は、２枚の布地Ａ，Ａを直接、接合する例を示し、（Ｄ）は２枚の布地Ａ，Ａを、シームテープ（シール部材）Ｓを使用して接合する例を示している。
【００６９】
図３（Ａ）は、布地Ａ，Ａの端部を、内側に折り返して、それぞれに帯状の接合代Ａ１，Ａ１を形成し、これら接合代Ａ１，Ａ１を合わせて接合することにより、接合部Ｄ１を形成するものである。この場合、接合の方法には、一般的な、糸を使用した縫合によるものと、図３（Ｃ）に示す溶着によるものとがある。溶着は、例えば超音波ミシンを使用して行うことができる。２枚の布地Ａ，ＡをそれぞれメンブレンＣ，Ｃ側が対向するように重ね、その端部の接合部Ａ１，Ａ１を一対の金属バーＭ，Ｍで挟み込む。そして、これら金属バーＭ，Ｍに超音波を印加する。これにより、メンブレンＣを構成するポリウレタンのウレタン分子の活動が活発化し、分子レベルでの接着が可能となる。図３（Ａ）に示す接合部Ｄ１は、メンブレン（ポリウレタン）Ｃ，Ｃ相互を溶着するので、メンブレン（ポリウレタン）Ｃと基布（ナイロン）Ｂとを溶着する、あるいは基布（ナイロン）Ｂ，Ｂ相互を溶着する場合と比較して、良好な溶着を実現することができる。
【００７０】
図３（Ｂ）は、布地Ａ，Ａの端部の帯状の接合代Ａ１，Ａ１を外側に突出させるようにして、これら接合部Ａ１，Ａ１を合わせて接合することにより、接合部Ｄ２を形成する。この場合の接合部Ｄ２も、一般的な、糸を使用した縫合によるものと、図３（Ｃ）に示す溶着によるものとがある。なお、溶着の場合には、図３（Ｃ）において、布地Ａ，Ａのいずれも表裏を反転させた状態で行う。この場合には、基布Ｂ，Ｂ相互が接合される。ナイロンで形成された基布Ｂ，Ｂは、ポリウレタンで形成されたメンブレンＣ，Ｃと比較して、溶着性が劣るが、溶着時に基布Ｂ，Ｂからポリウレタンが浸み出して、これが溶着を可能にしている。なお、例えば、超音波ミシンを使用して、基布Ｂ，Ｂ相互を溶着する場合であっても、溶着の条件を適宜に設定すれば、必要な防水性を十分、確保することができる。
【００７１】
なお、布地Ａ，Ａを直接、接合する例としては、（Ａ），（Ｂ）以外に、一方の布地Ａの接合代Ａ１の上に他方の布地Ａの接合代Ａ１を単純に重ね合わせて接合部を形成し、これを溶着するものもあり、このような接合部を採用することも可能である。この接合部は、接合代Ａ１，Ａ１が曲線状ではなく、直線状である場合に、採用することができ、（Ａ），（Ｂ）と比較して、製造コストを抑制することができる。この場合には、接合部は、一方の接合代Ａ１のメンブレンＣと他方の接合代Ａ１の基布Ｂとが接触した状態で溶着される。こうして形成された接合部の接合力は、（Ａ）に示す接合部Ｄ１の接合力よりは小さいが、（Ｂ）に示す接合力よりは大きいものとなる。
【００７２】
図３（Ｄ）は、シームテープＳを使用して、接合部Ｄ３を形成するものである。２枚の布地Ａ，Ａの端縁Ａ２，Ａ２を突き合わせて、接合代Ａ１，Ａ１を形成し、この接合代Ａ１，Ａ１の上に帯状のシームテープＳを溶着するものである。このときのシームテープＳは、布地Ａと同様のもの、つまり、基布ＢとメンブレンＣとがラミネートされたものを使用し、布地Ａ，Ａの内側の基布Ｂ，ＢにシームテープＳのメンブレンＣが接触する向きで、内側から接合させる。これにより、シームテープＳが布地Ａ，Ａの内側に隠れて、外側に露出しないので、見栄えを良くすることができる。さらに、布地Ａ，Ａの基布Ｂ，Ｂと、シームテープＳのメンブレンＣとが接合されるため、基布Ｂ，Ｂ相互が接合される図３（Ｂ）の接合部Ｄ２よりも接合力が高くなる。また、シームテープＳとして布地Ａと同様のものを使用することで、シームテープＳを含む接合部Ｄ３においても、布地Ａが有する優れた機能を同様に発揮することができる。なお、シームテープとして、布地Ａとは異なる素材のものを使用することも可能である。この場合、例えば、防水透湿性はないが、溶着性に優れたもの、ストレッチ性の高いもの、薄くて強度が強いもの等を選択することができる。
【００７３】
さらに、シームテープＳとしては、ホットメルト（熱溶着が可能な接着剤）が塗布されたものを使用することも可能である。ホットメルトの加熱による溶融、冷却による硬化によって、２枚の布地Ａ，Ａを接合させることができる。
【００７４】
ここで、上述の溶着による接合について、接合力の観点から検討する。
【００７５】
まず、接合力については、図３（Ａ）の接合部Ｄ１が最も大きく、次に図３（Ｄ）の接合部Ｄ３が大きく、図３（Ｂ）の接合部Ｄ２が最も小さい。これは、溶着性が、ナイロンの基布ＢよりもポリウレタンのメンブレンＣの方が良好であることに起因し、（Ａ）の接合部Ｄ１では、メンブレン（ポリウレタン）Ｃ，Ｃ相互が接合され、（Ｄ）の接合部Ｄ３では、基布（ナイロン）Ｂとメンブレン（ポリウレタン）Ｃとが接合され、（Ｂ）の接合部Ｄ２では、基布（ナイロン）Ｂ，Ｂ相互が接合されるからである。
【００７６】
次に、見栄えの観点からは、（Ａ）の接合部Ｄ１は、下着２１（図４参照），３１（図６参照）に適用し、（Ｂ）の接合部Ｄ２は、裏地４１（図７参照），５１（図８参照）に使用することが好ましい。（Ａ）の接合部Ｄ１は、内側に折り返されているので、下着２１等に設けられた場合には、外側（外部）からは見えない。一方、（Ｂ）の接合部Ｄ２は、外側に突出されているので、裏地４１等に設けられた場合には、外側及び内側のいずれからも見えない。なお、（Ｃ）の接合部Ｄ３は、（Ａ），（Ｂ）いずれの接合部Ｄ１，Ｄ２に代えても適用することが可能である。
【００７７】
次に、触感性（肌触り）の観点からは、（Ａ），（Ｂ）の接合部Ｄ１，Ｄ２よりも、（Ｄ）の接合部Ｄ３の方がよい。つまり、接合部Ｄ１，Ｄ２は、それ自体は、布地Ａの２枚重ねとなるが、実際の使用に際しては、いずれかの布地Ａ側に倒伏することが考えられるため、実質的には、３枚重ねとなり、ゴワゴワ感が大きくなる。一方、（Ｄ）の接合部Ｄ３は、シームテープＳが布地Ａと同様であるため、その厚さは、布地Ａの２枚重ねと同等になり、３枚重ねと比較して、ゴワゴワ感を低下させることができる。
【００７８】
図１に示す下着１１においては、接合部１１Ａ，１１Ｂとして、図３（Ａ）に示す接合部Ｄ１を採用している。なお、同図に示すように、下着１１の接合部１１Ａ，１１Ｂは、下着１１における左側及び右側に位置している。このような位置は、例えば、接合部が下着１１における前側や後側に位置する場合と比較して、インナー（不図示）を透過した経血や尿が接触しにくい部分である。したがって、図１に示す下着１１においては、接合部１１Ａ，１１Ｂは、溶着で形成するのに代えて、糸を使用した一般的な縫合によって形成するようにしてもよい。すなわち、例えば、下着１１，２１，３１や裏地４１，５１において、着用者の股から尻にかけての部分及びこれらの近傍、つまり経血や尿が漏れるおそれがある部分の近傍に、接合部が位置する場合には、この接合部については、溶着によって防水を確実なものとする必要があるが、それ以外の接合部については、溶着に限らず、糸を使用した縫合を採用することも可能である。なお、縫合の場合には、接合代Ａ１は、縫い代ということになる。
【００７９】
以上説明したように、防水透湿下着１０としてのスカート状の下着１１は、防水透湿性の布地Ａを使用することにより、インナーから漏れ出た経血や尿が、アウターに付着するのを防止することができる。また、布地Ａを、その基布Ｂが内側に配置され、そのメンブレンＣが外側に配置されるように使用することで、２レイヤーの軽量なものでありながら、良好な触感性（肌触り）を実現することができる。また、布地Ａが、ストレッチ性、通気性，防風性を有するようにすれば、下着１１の円滑な着脱、良好なフィット感を実現することができ、風の侵入を防止しつつ、内側の蒸れを低減することができる。さらに、メンブレンＣが良好な溶着性を有するようにすれば、布地Ａの接合部を溶着することにより、防水性を確実なものとすることができる。
＜実施形態２＞
【００８０】
図４，図５を参照して、防水透湿下着１０が、パンツ状の下着２１である場合を説明する。このうち、図４（Ａ）は下着２１を、前側斜め上方から見た図であり、（Ｂ）は（Ａ）の下着２１の一部を破断して示す図である。また、図５（Ａ）は図４（Ａ）中のＶ−Ｖ線矢視図であり、（Ｂ）は接合部２１Ａの下端及び接合部２１Ｂの下端と、接合部２１Ｅ，２１Ｆが交差する部分の接合状態を内側から見て説明する図である。
【００８１】
なお、本実施形態の下着２１は、比較的（後述の実施形態３の下着３１と比較して）ルーズな状態（ゆるくて楽な状態）で着用される。
【００８２】
図４に示すように、下着２１は、所定の形状に裁断された４枚の布地Ａ，Ａ，…、すなわち、左前身ごろ２２、右前身ごろ２３、左後身ごろ２４、右後身ごろ２５を、接合部２１Ａ〜２１Ｆで接合することで構成されている。
【００８３】
ここで、接合部２１Ａは、前側中央で上下に延びていて、左前身ごろ２２の接合代（股ぐり）２２ａと、右前身ごろ２３の接合代（股ぐり）２３ａとが接合されている。接合部２１Ｂは、後側中央で上下方向に延びていて、左後身ごろ２４の接合代（股ぐり）２４ａと右後身ごろ２５の接合代（股ぐり）２５ａとが接合されている。接合部２１Ｃは、左側で上下方向に延びていて、左前身ごろ２２の接合代２２ｂと左後身ごろ２４の接合代２４ｂとが接合されている。接合部２１Ｄは、右側で上下方向に延びていて、右前身ごろ２３の接合代２３ｂと右後身ごろ２５の接合代２５ｂとが接合されている。接合部２１Ｅは、接合部２１Ａの下端から左斜め下方に延びていて、左前身ごろ２２の接合代（股下）２２ｃと左後身ごろ２４の接合代（股下）２４ｃとが接合されている。そして、接合部２１Ｆは、接合部２１Ａの下端から右斜め下方に延びていて、右前身ごろ２３の接合代（股下）２３ｃと右後身ごろ２５の接合代２５ｃとが接合されている。なお、接合部２１Ｅと接合部２１Ｆとは、連続して形成されている。
【００８４】
上述のように接合することにより、下着２１は、左前身ごろ２２、右前身ごろ２３、左後身ごろ２４、右後身ごろ２５の上端２１ａが環状に連結され、この上端２１ａには全周にわたってゴム（不図示）が縫い込まれている。下着２１は、このゴムにより、着用者の着脱を容易にし、また、着用後のずれ落ちを防止している。また、左前身ごろ２２と左後身ごろ２４の下端２１ｂが環状に連結されて、左脚を通す開口部が形成され、同様に、右前身ごろ２３と右後身ごろ２５の下端２１ｃが環状に連結されて、右脚を通す開口部が形成されている。
【００８５】
本実施形態のパンツ状の下着２１は、実施形態１の布地Ａと同様の布地Ａを使用し、さらに、その基布Ｂが内側に位置し、そのメンブレンＣが外側に位置するように構成されている。
【００８６】
また、接合部２１Ａ〜２１Ｆのいずれも、図３（Ａ）に示す接合部Ｄ１が採用されて、接合部２１Ａ〜２１Ｆの順に溶着が施されている。なお、いずれの接合部２１Ａ〜２１Ｆについても、図３（Ｄ）に示す接合部Ｄ３を採用して溶着することも可能である。また、左側及び右側の接合部２１Ｃ，２１Ｄについては、インナーを漏れた経血や尿が接触する可能性がほとんどないので、図３（Ａ）に示す接合部Ｄ１を採用し、溶着に代えて糸を使用した縫合を施すことも可能である。
【００８７】
ここで、接合部が交差する交差部においては、布地Ａが重なって厚くなり、ゴワゴワ感が増すおそれがある。本実施形態では、接合部を図５（Ｂ）に示すように処理することで、次のようにしてゴワゴワ感の増加を抑制するようにしている。接合部２１Ａ〜２１Ｆを、図３（Ａ）に示す接合部Ｄ１を採用して、いずれも溶着する場合、前側の接合部２１Ａ及び後側の接合部２１Ｂの下端近傍では、図５（Ｂ）に示すように、４つの布地Ａ，Ａ，…、すなわち、左前身ごろ２２、右前身ごろ２３、左後身ごろ２４、右後身ごろ２５がそれぞれの１つの角部を突き合わせるようにして、接合部２１Ａ，２１Ｂ，２１Ｅ、２１Ｆによって接合される。
【００８８】
これら接合部２１Ａ，２１Ｂ，２１Ｃ，２１Ｄは、この順に形成される。
【００８９】
まず、左前身ごろ２２と右前身ごろ２３とが、それぞれの接合代２２ａ，２３ａが内側に折り返されて熱溶着されることで、接合部２１Ａ（一方の接合部）を形成して接合される。
【００９０】
つづいて、同様に、左後身ごろ２４と右後身ごろ２５とが、それぞれの接合代２４ａ，２５ａが内側に折り返されて溶着されることで、接合部２１Ｂ（他方の接合部）を形成して接合される。
【００９１】
次に、接合部２１Ｅ（別の接合部）と接合部２１Ｆ（別の接合部）とが連続して形成される。すなわち、上述のようにして一体に接合されて左前身ごろ２２及び右前身ごろ２３と、同じく一体に接合された左後身ごろ２４及び右後身ごろ２５とが、接合代２２ｃ，２４ｃ相互が溶着されることで、接合部２１Ｅを形成して接合され、また、接合代２３ｃ，２５ｃ相互が溶着されることで、接合部２１Ｆを形成して接合される。
【００９２】
この際、既に形成されている接合部２１Ｂは、左側（左後身ごろ２４側）に倒伏されて、接合部２１Ｂの端部２１Ｂｂは、接合部２１Ｅ側の接合代２４ｃに溶着される。つまり、外見上は、接合部２１Ｂの端部２１Ｂｂは、接合部２１Ｅに接合されてその一部を構成している。これに対し、既に形成されている接合部２１Ａは、右側（右前身ごろ２３側）に倒伏されて、接合部２１Ａの端部２１Ａａは、接合部２１Ｆ側の接合代２３ｃに溶着される。つまり、外見上は、接合部２１Ａの端部２１Ａａは、接合部２１Ｆに接合されてその一部を構成している。
【００９３】
このように、接合部２１Ａの端部２１Ａａと接合代２１Ｂの端部２１Ｂｂとが反対方向に接合、すなわち、端部２１Ａａが右側に向けて接合され、そして、端部２１Ｂｂが左側を向けて接合されるため、端部２１Ａａ，２１Ｂｂが同方向に向けて接合されてその部分の厚さが厚くなってゴワゴワ感が増すことを防止できる。つまり、端部２１Ａａ，２１Ｂｂが同方向に向けて接合された場合には、この接合部分において、布地Ａの６枚分の厚さになるところ、端部２１Ａａ，２１Ｂｂを反対方向に向けて接合させることにより、接合部分の厚さを、布地Ａの４枚分に抑えることができ、その分、ゴワゴワ感を低減することが可能となる。
【００９４】
なお、上述では、接合部２１Ａの端部２１Ａａを右側に向けて、また、接合部２１Ｂの端部２１Ｂｂを左側に向けて溶着して接合したが、この逆に、端部２１Ａａを左側に向けて、また、端部２１Ｂｂを右側に向けて溶着して接合してもよいのはもちろんである。つまり、端部２１Ａａ，２１Ｂｂの向きが逆になればよい。
【００９５】
本実施形態の、防水透湿下着１０としてのパンツ状の下着２１についても、実施形態１のスカート状の下着１１と略同等の効果を奏することができる。
＜実施形態３＞
【００９６】
図６を参照して、防水透湿下着１０が、パンツ状の下着３１である場合を説明する。このうち、図６（Ａ）は下着３１を、前側斜め上方から見た図であり、（Ｂ）は（Ａ）中のＢ−Ｂ線矢視図である。なお、本実施形態の下着３１は、上述の実施形態２の下着２１よりも、高いフィット感を持って着用される。このため、後述するように接合部３１Ａ〜３１Ｄとしては、図３（Ｄ）に示す接合部Ｄ３を採用することで、ゴワゴワ感の低減が図られている。
【００９７】
図６に示すように、下着３１は、所定の形状に裁断された２枚の布地Ａ，Ａ、すなわち、左身ごろ３２（左側の前身ごろと後見ごろとが一体になったもの）と、右身ごろ３３（右側の前身ごろと後身ごろとが一体になったもの）とが接合部３１Ａ〜３１Ｄで接合されることで構成されている。
【００９８】
ここで、接合部３１Ａは、前側中央で上下方向に延びていて、左身ごろ３２の前側の接合代３２ａと右身ごろ３３の前側の接合代３３ａとが接合されている。接合部３１Ｂは、左身ごろ３２の後側の接合代３２ｂと右身ごろ３３の後側の接合代３３ｂとが接合されている。これら接合部３１Ａと接合部３１Ｂとはそれぞれの下端において連続されている。また、接合部３１Ｃは、左身ごろ３２の右前下端の接合代３２ｃと同じく左身ごろ３２の右後下端の接合代３２ｄとの接合部である。接合部３１Ｄは、右身ごろ３３の左前下端の接合代３３ｃと同じく右身ごろ３３の左後下端の接合代３３ｄとの接合部である。なお、接合部３１Ｃと接合部３１Ｄとは連続して形成されている。
【００９９】
上述のように接合することにより、下着３１は、左身ごろ３２と右身ごろ３３の上端３１ａが環状に形成され、この上端３１ａには、全周にわたってゴム（不図示）が縫い込まれている。また、左身ごろ３２と右身ごろ３３の下端３１ｂ，３１ｃは、内側に縫い込まれて、それぞれ左脚，右脚を通すための環状の開口部が形成されている。
【０１００】
本実施形態のパンツ状の下着３１は、実施形態１の布地Ａと同様の布地Ａを使用し、さらに、その基布Ｂが内側に位置し、そのメンブレンＣが外側に位置するように構成されている。
【０１０１】
また、接合部３１Ａ〜３１Ｄのいずれも、図３（Ｄ）に示す接合部Ｄ３を採用して溶着されている。なお、いずれの接合部３１Ａ〜３１Ｄについても、図３（Ａ）に示す接合部Ｄ１を採用することも可能ではあるが、本実施形態の下着３１が、高いフィット感を持って着用されることを考慮すると、ゴワゴワ感の少ない、図３（Ｄ）の接合部Ｄ３を採用するのが好ましい。
【０１０２】
本実施形態の、防水透湿下着１０としてのパンツ状の下着３１についても、実施形態１のスカート状の下着１１と略同等の効果を奏することができる。
【０１０３】
以上の実施形態１〜３で説明した、下着１１，２１，３１において、溶着する接合部については、基本的には、図３（Ａ）に示す接合部Ｄ１を採用するとよい。下着１１，２１，３１では、接合部は、内側に折り込まれて外部（外側）から見えなくなるので、見栄えがよく、かつ、接合力の大きい接合部を形成することができる。また、接合力がある程度、低下しても、ゴワゴワ感が少ない方がよいというのであれば、図３（Ｄ）に示す接合部Ｄ３を採用してもよい。
＜実施形態４＞
【０１０４】
図７を参照して、本発明を適用した防水透湿裏地４０が、スカート４２の裏地４１である場合を説明する。図７（Ａ）はスカート４２を前側斜め上方から見た斜視図であり、（Ｂ）はスカート本体４３と裏地４１とを分離させた分解斜視図である。
【０１０５】
スカート４２は、略円錐台状に形成されて表地となるスカート本体４３と、同じく略円錐台状に形成されてスカート本体４３の内側（裏面側）に装着される裏地４１とによって構成されている。
【０１０６】
スカート本体４３は、所定の形状に裁断された４枚の生地、すなわち、上前身ごろ４４、下前身ごろ４５、上後身ごろ４６、下後身ごろ４７を有していて、これらを接合部４３Ａ，４３Ｂ，４３Ｃ，４３Ｄで接合することにより全体が構成されている。これらの接合部４３Ａ〜４３Ｄはいずれも糸を使用した縫合によって形成されている。なお、左側の接合部４３Ｃの上方は、接合されないでスリットが形成されていて、このスリットには、スカート４２の着脱を容易にするファスナ４３ａが取り付けられている。
【０１０７】
裏地４１は、所定の形状に裁断された２枚の布地Ａ，Ａ、すなわち、前身ごろ４８と後身ごろ４９とを、左側の接合部４１Ａと右側の接合部４１Ｂとによって接合することで形成されている。このうち左側の接合部４１Ａは、前身ごろ４８と後身ごろ４９のそれぞれの接合代４８ａ，４９ａを接合させることで形成されている。なお、接合部４１Ａは、上端側のファスナ４３ａに対応する部分には形成されていない。右側の接合部４１Ｂは、前身ごろ４８及び後身ごろ４９のそれぞれの接合代４８ｂ，４９ｂを接合させることで、裏地４１の上端４１ａから下端４１ｂまで形成されている。
【０１０８】
裏地４１は、実施形態１の布地Ａと同様の布地Ａを使用し、さらに、その基布Ｂが内側に位置し、そのメンブレンＣが外側に位置するように構成されている。そして、接合部４１Ａ，４１Ｂは、図３（Ｂ）に示す接合部Ｄ２が採用されて溶着されている。なお、これら接合部４１Ａ，４１Ｂは、スカート４２の左側及び右側に位置していて、スカート４２の内側に着用するインナーから漏れ出た経血や尿が接触するおそれがないので、溶着に代えて、糸を使用した縫合であってもよい。
【０１０９】
裏地４１は、その円環状の上端４１ａがスカート本体４３の接合部４３Ａ，４３Ｂに縫合され、さらに、左右の接合部４１Ａ，４１Ｂの下端に取り付けられた紐４１ｃ，４１ｃを、スカート本体４３の裏面におけるこれに対応した位置に設けられている結着用ループ（不図示）に結び付けることで、スカート本体４３の内側（裏面側）に取り付けられている。
【０１１０】
本実施形態において、裏地４１の上端４１ａを、スカート本体４３に縫合するのに代えて、例えば、面状ファスナを使用して、スカート本体４３の内側に取り付けるようにすれば、スカート本体４３に対して、裏地４１を着脱自在とすることができる。
【０１１１】
本実施形態の、防水透湿裏地４０としてのスカート状の裏地４１は、実施形態１のスカート状の下着１１と略同等の効果を奏することができる。
＜実施形態５＞
【０１１２】
図８を参照して、本発明を適用した防水透湿裏地４０が、半ズボン５２の裏地５１である場合を説明する。図８（Ａ）は半ズボン５２を前側斜め上方から見た斜視図であり、（Ｂ）は裏地５１を前側斜め上方から見た斜視図であり、（Ｃ）はズボン本体５３を前側斜め上方から見た斜視図である。
【０１１３】
ズボン本体５３は、上端５３ａに、着用者の胴部が入る環状の開口部を有し、また、下端５３ｂ，５３ｃには、それぞれ左脚，右脚が通る開口部を有している。また、前側中央の上部には、スリットが形成されていて、このスリットには、着脱を容易にするためのファスナ５３ｄが取り付けられている。なお、ズボン本体５３は、形状や構造において、一般的な半ズボンと同様なものを使用することができるので、ズボン本体５３についての詳細な説明は省略する。
【０１１４】
裏地５１は、所定の形状に裁断された４枚の布地Ａ，Ａ，…、すなわち、左前身ごろ５４、右前身ごろ５５、左後身ごろ５６、右後身ごろ５７を、接合部５１Ａ〜５１Ｄで接合することにより構成されている。このうち前側の接合部５１Ａは、左前身ごろ５４の右側の接合代５４ａと右前身ごろ５５の左側の接合代５５ａとを接合させることで形成されている。左前身ごろ５４及び右前身ごろ５５における、接合部５１Ａの上方に位置する部分は、ズボン本体５３のファスナ５３ｄに対応していて、接合されることなく、折り重なった状態で、ズボン本体５３の内側（裏面側）に縫い付けられている。後側の接合部５１Ｂは、左後身ごろ５６の右側の接合代５６ａと右後身ごろ５７の左側の接合代５７ａとが接合されることで形成されている。また、左側の接合部５１Ｃは、左前身ごろ５４の左側の接合部５４ｂと、左後身ごろ５６の左側の接合代５６ｂとが接合されることで形成されている。そして、右側の接合部５１Ｄは、右前身ごろ５５の右側の接合部５５ｂと、右後身ごろ５７の右側の接合代５７ｂとが接合されることで形成されている。このように接合されることで、裏地５１は、上端５１ａに、着用者の胴部が入る環状の開口部が形成され、また、左側の下端５１ｂ、右側の下端５１ｃには、それぞれ脚部を通す開口部が形成されている。
【０１１５】
裏地５１は、実施形態１の布地Ａと同様の布地Ａを使用し、さらに、その基布Ｂが内側に位置し、そのメンブレンＣが外側に位置するように構成されている。そして、接合部５１Ａ〜５１Ｄは、図３（Ｂ）に示す接合部Ｄ２が採用されて溶着されている。なお、これら接合部５１Ａ〜５１Ｄのうち、左側の接合部５１Ｃと右側の接合部５１Ｄとは、半ズボン５２の左側及び右側に位置していて、半ズボン５２の内側に着用するインナーから漏れ出た経血や尿が接触するおそれがないので、糸を使用した縫合であってもよい。
【０１１６】
裏地５１は、ズボン本体５３に対し、環状の上端５１ａが、ズボン本体５３の内側（裏面側）における上端５３ａよりも少し下方に縫合されるとともに、左側の接合部５１Ｃ及び右側の接合部５１Ｄの下端に取り付けられた紐５１ｄ，５１ｄが、これに対応してズボン本体５３の内側に設けられた結着用ループ（不図示）に結び付けられることで、取り付けられている。
【０１１７】
本実施形態の、防水透湿裏地４０としての半ズボン状の裏地５１は、実施形態１のスカート状の下着１１と略同等の効果を奏することができる。
【０１１８】
なお、上述の裏地５１を、運動時に着用する、例えばナイロン製のトランクスやトレーニングパンツの裏地として使用することもできる。裏地５１は、防水透湿性を有するほか、軽量で、肌触りがよく、さらにストレッチ性、通気性、防風性を有しているので、運動により体温が上昇して、内側に湿気がたまりやすいトランクス等の裏地として使用することは、極めて好ましい。一方、トランクスやトレーニングパンツの表面には、布地Ａと比較して、任意の色の模様や文字やをプリントしやすい。このため、ファッション性に優れ、かつ機能性に優れたトランクスやトレーニングパンツを構成することができる。なお、トランクスやトレーニングパンツは、着用した状態で激しい運動を行うことが想定されるので、その内側に取り付ける裏地５１としては、接合力の高い、図３（Ａ）に示す接合部Ｄ１を採用するとよい。ただし、この場合には、裏地５１における内側、つまり人目に触れる側に、接合部Ｄ１が形成されることになるので、見栄えの点については多少劣る。
【０１１９】
以上の実施形態４，５で説明した、裏地４１，５１において、溶着する接合部については、基本的には、図３（Ｂ）に示す接合部Ｄ２を採用することにより、接合部が裏地の外側に位置して、アウターで隠されるために外部（内側）から見えなくなるので、見栄えがよい。ただし、接合力を重視するのであれば、見栄えは多少劣るものの、接合力の高い、図３（Ａ）に示す接合部Ｄ１を採用するのが好ましい。この例が、上述のトランクスやトレーニングパンツである。
【０１２０】
以上説明した、本発明に係る防水透湿下着１０及び防水透湿裏地４０において、接合部を溶着によって形成する場合には、必要な接合力を確保することができるという条件のもと、上述したいずれの溶着を採用することも可能である。どの溶着を採用するかは、他の条件、例えば、見栄え、加工の容易性等を加味して決定すればよい。
【符号の説明】
【０１２１】
１０  防水透湿下着
１１  スカート状の下着
１１Ａ，１１Ｂ  接合部
１２ａ，１２ｂ  接合代
１３ａ，１３ｂ  接合代
２１  パンツ状の下着
２１Ａ〜２１Ｆ  接合部
２２ａ，２２ｂ，２２ｃ  接合代
２３ａ，２３ｂ，２３ｃ  接合代
２４ａ，２４ｂ，２４ｃ  接合代
２５ａ，２５ｂ，２５ｃ  接合代
３１  パンツ状の下着
３１Ａ〜３１Ｄ  接合部
３２ａ，３２ｂ，３２ｃ  接合代
３３ａ，３３ｂ，３３ｃ  接合代
４０  防水透湿裏地
４１  スカートの裏地
４１Ａ〜４１Ｄ  接合部
４８ａ，４８ｂ  接合代
４９ａ，４９ｂ  接合代
５１  半ズボンの裏地
５１Ａ〜５１Ｄ  接合部
５４ａ，５４ｂ  接合代
５５ａ，５５ｂ  接合代
５６ａ，５６ｂ  接合代
５７ａ，５７ｂ  接合代
Ａ  布地
Ｂ  基布
Ｃ  メンブレン
Ｄ１，Ｄ２，Ｄ３  接合部
Ｓ  シームテープ（シール部材）
Ｓ１，Ｓ２  ストレッチの方向
【図１】
2011027468.tif 000003
【図２】
2011027468.tif 000004
【図３】
2011027468.tif 000005
【図４】
2011027468.tif 000006
【図５】
2011027468.tif 000007
【図６】
2011027468.tif 000008
【図７】
2011027468.tif 000009
【図８】
2011027468.tif 000010
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
下半身に着用されるインナーとアウターとの間に着用される防水透湿下着において、
前記インナー側に配置された基布と、
前記基布における前記アウター側にラミネートされた防水透湿性のメンブレンと、を有する２レイヤーの複数の布地を接合部で接合させることにより構成され、
前記基布として、前記メンブレンよりも触感性に優れた素材が選択され、
前記メンブレンとして、前記基布よりも溶着性に優れた素材が選択されているとともに、
前記接合部のうちの少なくとも１つの接合部が溶着によって形成されている、
ことを特徴とする防水透湿下着。
【請求項２】
前記溶着によって形成される接合部は、相互に隣接する前記布地のそれぞれの接合代を内側に折り曲げて、前記それぞれの接合代の前記メンブレン側を接触させた状態で溶着することで形成される、
ことを特徴とする請求項１に記載の防水透湿下着。
【請求項３】
前記溶着によって形成される接合部は、相互に隣接する前記布地のそれぞれの接合代を外側に突出させて、前記それぞれの接合代の前記基布側を接触させた状態で溶着することで形成される、
ことを特徴とする請求項１に記載の防水透湿下着。
【請求項４】
前記溶着によって形成される接合部は、相互に隣接する前記布地の一方の接合代を他方の接合代に重ねて、前記一方の接合代の前記メンブレン側と前記他方の接合代の前記基布側を接触させた状態で溶着することで形成される、
ことを特徴とする請求項１に記載の防水透湿下着。
【請求項５】
前記溶着によって形成される接合部は、相互に隣接する前記布地のそれぞれの接合代を内側に折り曲げて、前記それぞれの接合代の前記メンブレン側を接触させた状態で、または、相互に隣接する前記布地のそれぞれの接合代を外側に突出させて、前記それぞれの接合代の前記基布側を接触させた状態で溶着することで形成される接合部であり、
前記接合部で接合された状態の布地相互を、これらの一方の接合部と他方の接合部とが連続するようにして、これら接合部に交差する別の接合部で接合する場合、
前記一方の接合部は、倒伏された状態でその端部が前記別の接合部に接合され、前記他方の接合部は、前記一方の接合部とは逆方向に倒伏された状態でその端部が前記別の接合部に接合される、
ことを特徴とする請求項１に記載の防水透湿下着。
【請求項６】
前記溶着によって形成される接合部は、相互に隣接する前記布地のそれぞれの端縁を突き合わせ、これら端縁の上に帯状のシール部材を溶着することで形成される、
ことを特徴とする請求項１に記載の防水透湿下着。
【請求項７】
前記シール部材が、前記布地と同じ生地によって形成されている、
ことを特徴とする請求項６に記載の防水透湿下着。
【請求項８】
前記シール部材が、ホットメルトが塗布された生地によって形成されている、
ことを特徴とする請求項６に記載の防水透湿下着。
【請求項９】
前記複数の布地は、前記溶着する接合部として、股ぐり及び股下を有する、
ことを特徴とする請求項１ないし８のいずれか１項に記載の防水透湿下着。
【請求項１０】
前記メンブレンは、気温の上昇に伴って、透湿性が高くなる、
ことを特徴とする請求項１ないし８のいずれか１項に記載の防水透湿下着。
【請求項１１】
前記布地は、一方向とこれに直交する他方向とでストレッチ性が異なり、前記ストレッチ性の高い方向が横方向を向くように配置される、
ことを特徴とする請求項１ないし８のいずれか１項に記載の防水透湿下着。
【請求項１２】
下半身に着用されるインナーの外側に着用されるアウターの内側に取り付けられた防水透湿裏地において、
前記インナー側に配置された基布と、
前記基布における前記アウター側にラミネートされた防水透湿性のメンブレンと、を有する２レイヤーの複数の布地を接合部でさせることにより構成され、
前記基布として、前記メンブレンよりも触感性に優れた素材が選択され、
前記メンブレンとして、前記基布よりも溶着性に優れた素材が選択されているとともに、
前記接合部のうちの少なくとも１つの接合部が溶着によって形成されている、
ことを特徴とする防水透湿裏地。
【請求項１３】
前記溶着によって形成される接合部は、相互に隣接する前記布地のそれぞれの接合代を内側に折り曲げて、前記それぞれの接合代の前記メンブレン側を接触させた状態で溶着することで形成される、
ことを特徴とする請求項１２に記載の防水透湿裏地。
【請求項１４】
前記溶着によって形成される接合部は、相互に隣接する前記布地のそれぞれの接合代を外側に突出させて、前記それぞれの接合代の前記基布側を接触させた状態で溶着することで形成される、
ことを特徴とする請求項１２に記載の防水透湿裏地。
【請求項１５】
前記溶着によって形成される接合部は、相互に隣接する前記布地の一方の接合代を他方の接合代に重ねて、前記一方の接合代の前記メンブレン側と前記他方の接合代の前記基布側を接触させた状態で溶着することで形成される、
ことを特徴とする請求項１２に記載の防水透湿裏地。
【請求項１６】
前記溶着によって形成される接合部は、相互に隣接する前記布地のそれぞれの接合代を内側に折り曲げて、前記それぞれの接合代の前記メンブレン側を接触させた状態で、または、相互に隣接する前記布地のそれぞれの接合代を外側に突出させて、前記それぞれの接合代の前記基布側を接触させた状態で溶着することで形成される接合部であり、
前記接合部で接合された状態の布地相互を、これらの一方の接合部と他方の接合部とが連続するようにして、これら接合部に交差する別の接合部で接合する場合、
前記一方の接合部は、倒伏された状態でその端部が前記別の接合部に接合され、前記他方の接合部は、前記一方の接合部とは逆方向に倒伏された状態でその端部が前記別の接合部に接合される、
ことを特徴とする請求項１２に記載の防水透湿裏地。
【請求項１７】
前記溶着によって形成される接合部は、相互に隣接する前記布地のそれぞれの端縁を突き合わせ、これら熱端縁の上に帯状のシール部材を溶着することで形成される、
ことを特徴とする請求項１２に記載の防水透湿裏地。
【請求項１８】
前記シール部材が、前記布地と同じ生地によって形成されている、
ことを特徴とする請求項１７に記載の防水透湿裏地。
【請求項１９】
前記シール部材が、ホットメルトが塗布された生地によって形成されている、
ことを特徴とする請求項１７に記載の防水透湿裏地。
【請求項２０】
前記複数の布地は、前記溶着する接合部として、股ぐり及び股下を有する、
ことを特徴とする請求項１２ないし１９のいずれか１項に記載の防水透湿裏地。
【請求項２１】
前記メンブレンは、気温の上昇に伴って、透湿性が高くなる、
ことを特徴とする請求項１２ないし１９のいずれか１項に記載の防水透湿裏地。
【請求項２２】
前記布地は、一方向とこれに直交する他方向とでストレッチ性が異なり、前記ストレッチ性の高い方向が横方向を向くように配置される、
ことを特徴とする請求項１２ないし１９のいずれか１項に記載の防水透湿裏地。
【手続補正２】
【補正対象書類名】明細書
【補正対象項目名】００２０
【補正方法】変更
【補正の内容】
【００２０】
請求項９に係る発明は、請求項１ないし８のいずれか１項に係る防水透湿下着において、前記複数の布地は、前記溶着する接合部として、股ぐり及び股下を有する、ことを特徴とする。
【手続補正３】
【補正対象書類名】明細書
【補正対象項目名】００２１
【補正方法】変更
【補正の内容】
【００２１】
請求項１０に係る発明は、請求項１ないし８のいずれか１項に係る防水透湿下着において、前記メンブレンは、気温の上昇に伴って、透湿性が高くなる、ことを特徴とする。
【手続補正４】
【補正対象書類名】明細書
【補正対象項目名】００２２
【補正方法】変更
【補正の内容】
【００２２】
請求項１１に係る発明は、請求項１ないし８のいずれか１項に係る防水透湿下着において、前記布地は、一方向とこれに直交する他方向とでストレッチ性が異なり、前記ストレッチ性の高い方向が横方向を向くように配置される、ことを特徴とする。
【手続補正５】
【補正対象書類名】明細書
【補正対象項目名】００３１
【補正方法】変更
【補正の内容】
【００３１】
請求項２０に係る発明は、請求項１２ないし１９のいずれか１項に係る防水透湿裏地において、前記複数の布地は、前記溶着する接合部として、股ぐり及び股下を有する、ことを特徴とする。
【手続補正６】
【補正対象書類名】明細書
【補正対象項目名】００３２
【補正方法】変更
【補正の内容】
【００３２】
請求項２１に係る発明は、請求項１２ないし１９のいずれか１項に係る防水透湿裏地において、前記メンブレンは、気温の上昇に伴って、透湿性が高くなる、ことを特徴とする。
【手続補正７】
【補正対象書類名】明細書
【補正対象項目名】００３３
【補正方法】変更
【補正の内容】
【００３３】
請求項２２に係る発明は、請求項１２ないし１９のいずれか１項に係る防水透湿裏地において、前記布地は、一方向とこれに直交する他方向とでストレッチ性が異なり、前記ストレッチ性の高い方向が横方向を向くように配置される、ことを特徴とする。
【手続補正書】
【提出日】平成24年2月22日(2012.2.22)
【手続補正１】
【補正対象書類名】特許請求の範囲
【補正対象項目名】全文
【補正方法】変更
【補正の内容】
【特許請求の範囲】
【請求項１】
下半身に着用されるインナーとアウターとの間に着用される防水透湿下着において、
前記インナー側に配置された基布と、
前記基布における前記アウター側にラミネートされた防水透湿性のメンブレンと、を有する２レイヤーの複数の布地を接合部で接合させることにより構成され、
前記基布として、前記メンブレンよりも触感性に優れた素材が選択され、
前記メンブレンとして、前記基布よりも溶着性に優れ、高温になると透湿性が向上し、低温になると保温性と程よい透湿性が保たれる素材が選択されているとともに、
前記接合部は、防水を確実にするために着用者の経血や尿が漏れるおそれがある部分およびこれらの近傍が溶着によって形成されている、
ことを特徴とする防水透湿下着。
【請求項２】
前記溶着によって形成される接合部は、相互に隣接する前記布地のそれぞれの接合代を内側に折り曲げて、前記それぞれの接合代の前記メンブレン側を接触させた状態で溶着することで形成される、
ことを特徴とする請求項１に記載の防水透湿下着。
【請求項３】
前記溶着によって形成される接合部は、相互に隣接する前記布地のそれぞれの接合代を外側に突出させて、前記それぞれの接合代の前記基布側を接触させた状態で溶着することで形成される、
ことを特徴とする請求項１に記載の防水透湿下着。
【請求項４】
前記溶着によって形成される接合部は、相互に隣接する前記布地の一方の接合代を他方の接合代に重ねて、前記一方の接合代の前記メンブレン側と前記他方の接合代の前記基布側を接触させた状態で溶着することで形成される、
ことを特徴とする請求項１に記載の防水透湿下着。
【請求項５】
前記溶着によって形成される接合部は、相互に隣接する前記布地のそれぞれの接合代を内側に折り曲げて、前記それぞれの接合代の前記メンブレン側を接触させた状態で、または、相互に隣接する前記布地のそれぞれの接合代を外側に突出させて、前記それぞれの接合代の前記基布側を接触させた状態で溶着することで形成される接合部であり、
前記接合部で接合された状態の布地相互を、これらの一方の接合部と他方の接合部とが連続するようにして、これら接合部に交差する別の接合部で接合する場合、
前記一方の接合部は、倒伏された状態でその端部が前記別の接合部に接合され、前記他方の接合部は、前記一方の接合部とは逆方向に倒伏された状態でその端部が前記別の接合部に接合される、
ことを特徴とする請求項１に記載の防水透湿下着。
【請求項６】
前記溶着によって形成される接合部は、相互に隣接する前記布地のそれぞれの端縁を突き合わせ、これら端縁の上に帯状のシール部材を溶着することで形成される、
ことを特徴とする請求項１に記載の防水透湿下着。
【請求項７】
前記シール部材が、前記布地と同じ生地によって形成されている、
ことを特徴とする請求項６に記載の防水透湿下着。
【請求項８】
前記シール部材が、ホットメルトが塗布された生地によって形成されている、
ことを特徴とする請求項６に記載の防水透湿下着。
【請求項９】
前記複数の布地は、前記溶着する接合部として、股ぐり及び股下を有する、
ことを特徴とする請求項１ないし８のいずれか１項に記載の防水透湿下着。
【請求項１０】
前記布地は、一方向とこれに直交する他方向とでストレッチ性が異なり、前記ストレッチ性の高い方向が横方向を向くように配置される、
ことを特徴とする請求項１ないし８のいずれか１項に記載の防水透湿下着。
【請求項１１】
下半身に着用されるインナーの外側に着用されるアウターの内側に取り付けられた防水透湿裏地において、
前記インナー側に配置された基布と、
前記基布における前記アウター側にラミネートされた防水透湿性のメンブレンと、を有する２レイヤーの複数の布地を接合部でさせることにより構成され、
前記基布として、前記メンブレンよりも触感性に優れた素材が選択され、
前記メンブレンとして、前記基布よりも溶着性に優れ、高温になると透湿性が向上し、低温になると保温性と程よい透湿性が保たれる素材が選択されているとともに、
前記接合部前記接合部前記接合部は、防水を確実にするために着用者の経血や尿が漏れるおそれがある部分およびこれらの近傍が溶着によって形成されている、
ことを特徴とする防水透湿裏地。
【請求項１２】
前記溶着によって形成される接合部は、相互に隣接する前記布地のそれぞれの接合代を内側に折り曲げて、前記それぞれの接合代の前記メンブレン側を接触させた状態で溶着することで形成される、
ことを特徴とする請求項１１に記載の防水透湿裏地。
【請求項１３】
前記溶着によって形成される接合部は、相互に隣接する前記布地のそれぞれの接合代を外側に突出させて、前記それぞれの接合代の前記基布側を接触させた状態で溶着することで形成される、
ことを特徴とする請求項１１に記載の防水透湿裏地。
【請求項１４】
前記溶着によって形成される接合部は、相互に隣接する前記布地の一方の接合代を他方の接合代に重ねて、前記一方の接合代の前記メンブレン側と前記他方の接合代の前記基布側を接触させた状態で溶着することで形成される、
ことを特徴とする請求項１１に記載の防水透湿裏地。
【請求項１５】
前記溶着によって形成される接合部は、相互に隣接する前記布地のそれぞれの接合代を内側に折り曲げて、前記それぞれの接合代の前記メンブレン側を接触させた状態で、または、相互に隣接する前記布地のそれぞれの接合代を外側に突出させて、前記それぞれの接合代の前記基布側を接触させた状態で溶着することで形成される接合部であり、
前記接合部で接合された状態の布地相互を、これらの一方の接合部と他方の接合部とが連続するようにして、これら接合部に交差する別の接合部で接合する場合、
前記一方の接合部は、倒伏された状態でその端部が前記別の接合部に接合され、前記他方の接合部は、前記一方の接合部とは逆方向に倒伏された状態でその端部が前記別の接合部に接合される、
ことを特徴とする請求項１１に記載の防水透湿裏地。
【請求項１６】
前記溶着によって形成される接合部は、相互に隣接する前記布地のそれぞれの端縁を突き合わせ、これら熱端縁の上に帯状のシール部材を溶着することで形成される、
ことを特徴とする請求項１１に記載の防水透湿裏地。
【請求項１７】
前記シール部材が、前記布地と同じ生地によって形成されている、
ことを特徴とする請求項１６に記載の防水透湿裏地。
【請求項１８】
前記シール部材が、ホットメルトが塗布された生地によって形成されている、
ことを特徴とする請求項１６に記載の防水透湿裏地。
【請求項１９】
前記複数の布地は、前記溶着する接合部として、股ぐり及び股下を有する、
ことを特徴とする請求項１１ないし１８のいずれか１項に記載の防水透湿裏地。
【請求項２０】
前記布地は、一方向とこれに直交する他方向とでストレッチ性が異なり、前記ストレッチ性の高い方向が横方向を向くように配置される、
ことを特徴とする請求項１１ないし１８のいずれか１項に記載の防水透湿裏地。
【手続補正２】
【補正対象書類名】明細書
【補正対象項目名】００１２
【補正方法】変更
【補正の内容】
【００１２】
請求項１に係る発明は、下半身に着用されるインナーとアウターとの間に着用される防水透湿下着に関する。この発明に係る防水下着は、前記インナー側に配置された基布と、
前記基布における前記アウター側にラミネートされた防水透湿性のメンブレンと、を有する２レイヤーの複数の布地を接合部で接合させることにより構成され、前記基布として、前記メンブレンよりも触感性に優れた素材が選択され、前記メンブレンとして、前記基布よりも溶着性に優れ、高温になると透湿性が向上し、低温になると保温性と程よい透湿性が保たれる素材が選択されているとともに、前記接合部は、防水を確実にするために着用者の経血や尿が漏れるおそれがある部分およびこれらの近傍が溶着によって形成されている、ことを特徴とする。
【手続補正３】
【補正対象書類名】明細書
【補正対象項目名】００２１
【補正方法】削除
【補正の内容】
【手続補正４】
【補正対象書類名】明細書
【補正対象項目名】００２２
【補正方法】変更
【補正の内容】
【００２２】
請求項１０に係る発明は、請求項１ないし８のいずれか１項に係る防水透湿下着において、前記布地は、一方向とこれに直交する他方向とでストレッチ性が異なり、前記ストレッチ性の高い方向が横方向を向くように配置される、ことを特徴とする。
【手続補正５】
【補正対象書類名】明細書
【補正対象項目名】００２３
【補正方法】変更
【補正の内容】
【００２３】
請求項１１に係る発明は、下半身に着用されるインナーの外側に着用されるアウターの内側に取り付けられた防水透湿裏地に関する。この発明に係る防水透湿下着は、前記インナー側に配置された基布と、前記基布における前記アウター側にラミネートされた防水透湿性のメンブレンと、を有する２レイヤーの複数の布地を接合部でさせることにより構成され、前記基布として、前記メンブレンよりも触感性に優れた素材が選択され、前記メンブレンとして、前記基布よりも溶着性に優れ、高温になると透湿性が向上し、低温になると保温性と程よい透湿性が保たれる素材が選択されているとともに、  前記接合部前記接合部前記接合部は、防水を確実にするために着用者の経血や尿が漏れるおそれがある部分およびこれらの近傍が溶着によって形成されている、ことを特徴とする。
【手続補正６】
【補正対象書類名】明細書
【補正対象項目名】００２４
【補正方法】変更
【補正の内容】
【００２４】
請求項１２に係る発明は、請求項１１に係る防水透湿裏地において、前記溶着によって形成される接合部は、相互に隣接する前記布地のそれぞれの接合代を内側に折り曲げて、前記それぞれの接合代の前記メンブレン側を接触させた状態で溶着することで形成される、ことを特徴とする。
【手続補正７】
【補正対象書類名】明細書
【補正対象項目名】００２５
【補正方法】変更
【補正の内容】
【００２５】
請求項１３に係る発明は、請求項１１に係る防水透湿裏地において、前記溶着によって形成される接合部は、相互に隣接する前記布地のそれぞれの接合代を外側に突出させて、前記それぞれの接合代の前記基布側を接触させた状態で溶着することで形成される、ことを特徴とする。
【手続補正８】
【補正対象書類名】明細書
【補正対象項目名】００２６
【補正方法】変更
【補正の内容】
【００２６】
請求項１４に係る発明は、請求項１１に係る防水透湿裏地において、前記溶着によって形成される接合部は、相互に隣接する前記布地の一方の接合代を他方の接合代に重ねて、前記一方の接合代の前記メンブレン側と前記他方の接合代の前記基布側を接触させた状態で溶着することで形成される、ことを特徴とする。
【手続補正９】
【補正対象書類名】明細書
【補正対象項目名】００２７
【補正方法】変更
【補正の内容】
【００２７】
請求項１５に係る発明は、請求項１１に係る防水透湿裏地において、前記溶着によって形成される接合部は、相互に隣接する前記布地のそれぞれの接合代を内側に折り曲げて、前記それぞれの接合代の前記メンブレン側を接触させた状態で、または、相互に隣接する前記布地のそれぞれの接合代を外側に突出させて、前記それぞれの接合代の前記基布側を接触させた状態で溶着することで形成される接合部であり、前記接合部で接合された状態の布地相互を、これらの一方の接合部と他方の接合部とが連続するようにして、これら接合部に交差する別の接合部で接合する場合、前記一方の接合部は、倒伏された状態でその端部が前記別の接合部に接合され、前記他方の接合部は、前記一方の接合部とは逆方向に倒伏された状態でその端部が前記別の接合部に接合される、ことを特徴とする。
【手続補正１０】
【補正対象書類名】明細書
【補正対象項目名】００２８
【補正方法】変更
【補正の内容】
【００２８】
請求項１６に係る発明は、請求項１１に係る防水透湿裏地において、前記溶着によって形成される接合部は、相互に隣接する前記布地のそれぞれの端縁を突き合わせ、これら熱端縁の上に帯状のシール部材を溶着することで形成される、ことを特徴とする。
【手続補正１１】
【補正対象書類名】明細書
【補正対象項目名】００２９
【補正方法】変更
【補正の内容】
【００２９】
請求項１７に係る発明は、請求項１６に係る防水透湿裏地において、前記シール部材が、前記布地と同じ生地によって形成されている、ことを特徴とする。
【手続補正１２】
【補正対象書類名】明細書
【補正対象項目名】００３０
【補正方法】変更
【補正の内容】
【００３０】
請求項１８に係る発明は、請求項１６に記載の防水透湿裏地において、前記シール部材が、ホットメルトが塗布された生地によって形成されている、ことを特徴とする。
【手続補正１３】
【補正対象書類名】明細書
【補正対象項目名】００３１
【補正方法】変更
【補正の内容】
【００３１】
請求項１９に係る発明は、請求項１１ないし１８のいずれか１項に係る防水透湿裏地において、前記複数の布地は、前記溶着する接合部として、股ぐり及び股下を有する、ことを特徴とする。
【手続補正１４】
【補正対象書類名】明細書
【補正対象項目名】００３２
【補正方法】削除
【補正の内容】
【手続補正１５】
【補正対象書類名】明細書
【補正対象項目名】００３３
【補正方法】変更
【補正の内容】
【００３３】
請求項２０に係る発明は、請求項１１ないし１８のいずれか１項に係る防水透湿裏地において、前記布地は、一方向とこれに直交する他方向とでストレッチ性が異なり、前記ストレッチ性の高い方向が横方向を向くように配置される、ことを特徴とする。
【国際調査報告】
2011027468.tif 000011
2011027468.tif 000012
2011027468.tif 000013
2011027468.tif 000014